(57)【要約】【課題】役務の詳細や商品の産地などを携帯電話の画面を通じてより密度の高い説明内容【解決手段】斡旋する不動産の一般的な事項ばかりでなく詳細な内容説明や、イベントなどの一般的な事項ばかりでなくより詳細な内容説明などをも考慮して、役務の内容説明を携帯電話画像での表示用に役務ごとに企画する。これらの携帯電話画像表示用の企画を携帯画像変換サーバ使用の携帯電話画像情報表示用コードに変換する。この変換のバーコードを転写インクでシールに印刷する。印刷されたシールのコードをその後の役務の実行の場において、役務実行の対象物に転写する。この転写のコードを役務実行の場において、携帯電話に読みとらせ役務実行の内容説明用画像をその携帯画像変換サーバを通じてその使用の携帯電話に表示させる。【選択図】図１
2007334405.tif 000002
【特許請求の範囲】
【請求項１】
斡旋する不動産などの内容説明やフェア・フェスティバルなどのイベント等の内容説明などそれぞれの役務の内容説明を携帯電話画像での表示用にそれぞれ企画し、該携帯電話画像表示用の企画を携帯画像変換サーバ使用の携帯電話画像情報表示用コードにそれぞれ変換し、該変換のそれぞれのバーコードをタトゥーシールに用いるような転写可能な転写インクでそれぞれシールに印刷し、該印刷の上記のそれぞれのシールのコードをその後のそれぞれの役務実行の場においてそれぞれの役務実行の対象物に転写し、該転写のそれぞれのコードをそれぞれの役務実行の場においてそれぞれの携帯電話に読みとらせてそれぞれの役務実行の内容説明用画像をその携帯画像変換サーバを通じてその使用の携帯電話に表示させる、ことを特徴とした携帯電話利用業務内容説明画像企画配信表示方法。
【請求項２】
販売する食品などの内容説明や建造物などの内容説明などそれぞれの商品の内容説明を携帯電話画像での表示用にそれぞれ企画し、該携帯電話画像表示用の企画を携帯画像変換サーバ使用の携帯電話画像情報表示用コードにそれぞれ変換し、該変換のそれぞれのバーコードをタトゥーシールに用いるような転写可能な転写インクでそれぞれシールに印刷し、該印刷の上記のそれぞれのシールのコードをその後のそれぞれの商品の販売の場においてそれぞれの商品やその対象物に転写し、該転写のそれぞれのコードをそれぞれの商品販売の場においてそれぞれの携帯電話に読みとらせてそれぞれの商品の内容説明用画像をその携帯画像変換サーバを通じてその使用の携帯電話に表示させる、ことを特徴とした携帯電話利用業務内容説明画像企画配信表示方法。
【発明の詳細な説明】
【技術分野】
【０００１】
本発明は、広くは携帯電話利用の業務内容の説明の配信方法に関するものであり、特に携帯電話の動画などの画像を利用して携帯画像変換サーバと携帯電話画像情報表示用コードとでその業務内容の説明を配信する方法に関するものである。就中、携帯電話を利用してのイベント開催や商品の販売などの業務内容の説明用の動画などの画像を企画し配信し表示する方法に関するものである。
【背景技術】
【０００２】
従来、イベントなどの開催や商品の販売等においては、パンフレットとか説明書などの書類と、それを説明する説明要員等の説明によるもののみであった。
【発明の開示】
【発明が解決しようとする課題】
【０００３】
本願発明が解決しようとする問題点は、イベントなどの開催や商品の販売等においての説明を盛り上げるのはもちろんのこと、役務の詳細や商品の産地などを携帯電話の画面の文字や動画を通じてより密度の高い説明内容にすることである。
【課題を解決するための手段】
【０００４】
本発明にかかる携帯電話利用業務内容説明画像企画配信表示方法は、以上の課題を解決するために携帯電話の画像を利用して、携帯画像変換サーバと携帯電話画像情報表示用コードとでその業務内容の説明を配信、すなわち携帯電話を利用してイベント開催や商品の販売などの業務内容の説明用の画像を配信方法とした。
【０００５】
以下に、本発明にかかる携帯電話利用業務内容説明画像企画配信表示方法の具体的な構成を詳細に記載する。最初に、本発明の請求項１に記載した発明の構成を説明する。この発明は、まず斡旋する不動産などの間取りとか料金などの一般的な事項ばかりでなく、日照条件とか環境などの詳細な内容説明や、フェア・フェスティバルなどのイベントなどの時期や料金などの一般的な事項ばかりでなく、キャラクターとか由来等のより詳細な内容説明などをも考慮して、それぞれの役務の内容説明を携帯電話画像での表示用にそれぞれの役務ごとに企画する。つぎに、これらの携帯電話画像表示用の企画を携帯画像変換サーバ使用の携帯電話画像情報表示用コードにそれぞれ変換する。
【０００６】
そして、これら変換のそれぞれのバーコードをタトゥーシールに用いるような転写可能な転写インクでそれぞれシールに印刷する。こうして、それら印刷された上記のそれぞれのシールのコードをその後のそれぞれのイベントなどの役務の実行の場において、それぞれの役務実行の対象物、たとえば不動産の斡旋用のチラシとか、イベント会場の入場者の肌など、に転写する。それで、それら転写のそれぞれのコードをそれぞれのイベント会場などの役務実行の場において、それぞれの携帯電話に読みとらせてそれぞれの役務実行の内容説明用画像をその携帯画像変換サーバを通じてその使用の携帯電話に表示させものである。
【０００７】
つぎに、本発明にかかる携帯電話利用業務内容説明画像企画配信表示方法の請求項２に記載した発明の構成を説明する。この発明は、販売する食品などの価格とか賞味期限などの一般的な事項ばかりでなく、産地とか生産者や品質等の詳細な内容説明や建造物などの価格や建築年数などの一般的な事項ばかりでなく、耐震強度とか建築材料や品質等の詳細な内容説明などをも考慮して、それぞれの商品の内容説明を携帯電話画像での表示用にそれぞれの商品ごとに企画する。つぎに、これらの携帯電話画像表示用の企画を携帯画像変換サーバ使用の携帯電話画像情報表示用コードにそれぞれ変換する。
【０００８】
そして、これら変換のそれぞれのバーコードをタトゥーシールに用いるような転写可能な転写インクでそれぞれシールに印刷する。こうして、これら印刷された上記のそれぞれのシールのコードをその後のそれぞれの商品の販売の場において、それぞれの商品やその対象物、例えばその商品の包装とか販売棚に転写する。それで、それら転写のそれぞれのコードをそれぞれの商品販売の場において、それぞれの携帯電話に読みとらせてそれぞれの商品の内容説明用画像をその携帯画像変換サーバを通じてその使用の携帯電話に表示させるものである。
【発明の効果】
【０００９】
本発明にかかる携帯電話利用業務内容説明画像企画配信表示方法は、以上のごとくになしたゆえに、上記の課題を解決して以下のごとき多大な効果が生じた。すなわち、イベント内容や不動産の斡旋等の役務において、その内容を従来のチラシや広告では全く出来なかった詳細な内容の情報を、携帯電話を通じて解りやすく紹介することが出来る。同様に、販売する商品の内容情報を同様にして、携帯電話を通じて解りやすく紹介することが出来る。
【発明を実施するための最良の形態】
【００１０】
ＱＲコード（商標）（携帯電話で文字情報を認識できる二次元バーコード）やＭＳコード（商標）などの、携帯電話への誘導線をもつコードを、スキンシール及びプリントシールとして提供し、これと携帯画像変換サーバーを組み合せることにより、訴求力の高い動画コンテンツを携帯電話で手軽に配信し、かつ他メディアとの融合を容易にし、もって情報配信者の配信力の向上をはかることのできる仕組みを提唱すると言う目的を果たす。
【実施例１】
【００１１】
しかして、本発明にかかる携帯電話利用業務内容説明画像企画配信表示方法をその具体的な実施例を用いて添付の図面と共に詳細に述べる。最初に、本発明の請求項１に記載した発明の実施例を説明する。この発明は、図１に示すブロックダイアグラムのように、斡旋・仲介・紹介・レンタルなど役務に関するものである。まず、仲介業の場合である。不動産の売買とか賃貸の斡旋において、その不動産の間取りとか料金などの一般的な事項ばかりでなく、パンフレットなどでは紹介できない日照条件とか環境など、さらにはその不動産がその利用者のどの業種に好適かとか様々な条件の詳細な内容説明を以下のごとくに携帯電話でなせる。具体的には、まずそれぞれの仲介不動産のの内容説明を携帯電話画像での表示用にそれぞれの役務ごとに企画する。つぎに、これらの携帯電話画像表示用の企画を携帯画像変換サーバ使用の携帯電話画像情報表示用コード（本実施例では２次元バーコード）にそれぞれ変換するのである。
【００１２】
そして、これら変換のそれぞれのバーコードをタトゥーシールに用いるような転写可能な転写インクでそれぞれシールに印刷する。こうして、それら印刷された上記のそれぞれのシールのコードをその後、ある不動産の仲介の場において、それぞれの不動産の仲介の対象物、たとえば不動産の斡旋用のチラシなどに転写する。それで、それら転写のそれぞれのコードをその場において、用意された携帯電話に読みとらせてその不動産の詳細な内容説明用画像をその携帯画像変換サーバを通じてその使用の携帯電話に表示させるものである。
【００１３】
以上のことは、レーベル・ビデオ映像出版社・ビデオレンタル網・ビデオ販売店網などにも応用できるすなわち、レンタルするものの映像ダイジェストやスペシャル映像を見せることにより、利用者の購入意思決定材料を提供し、借用促進・レンタル数の向上をはかるのである。同様にして、これはタレント事務所にも応用可能である。すなわち、各タレントの詳細なデーターを容易に見つけ出せるようにして、タレントの紹介が容易になる。また、広告代理店においても同様に応用できる。
【実施例２】
【００１４】
つぎに、本発明の請求項１に記載し発明のた別の実施例を説明する。この発明は、図２に示すブロックダイアグラムのように、フェアやフェスティバルなどのイベントにおける役務に関するものである。すなわち、イベントなどの時期や料金などの一般的な事項ばかりでなく、そのイベントに登場するキャラクターとか由来等のより詳細な内容説明などをも考慮して、それぞれの役務の内容説明を携帯電話画像での表示用にそれぞれの役務ごとに企画する。つぎに、これらの携帯電話画像表示用の企画を携帯画像変換サーバ使用の携帯電話画像情報表示用コード（本実施例では２次元バーコード）にそれぞれ変換する。
【００１５】
そして、これら変換のそれぞれのバーコードをタトゥーシールに用いるような転写可能な転写インクでそれぞれシールに印刷する。こうして、それら印刷された上記のそれぞれのシールのコードをその後のそれぞれのイベントなどの役務の実行の場において、それぞれの役務実行の対象物、たとえばイベント会場の入場者あるいはキャンペーンガールの肌など、にタトゥーシールのように転写する。それで、それら転写のそれぞれのコードをそれぞれのイベント会場などの役務実行の場において、それぞれの携帯電話に読みとらせてそれぞれの役務実行の内容説明用画像をその携帯画像変換サーバを通じてその使用の携帯電話に表示させものである。
【００１６】
以上のことは、演芸場や音楽ホール・劇団・映画館などにも応用できる。たとえば、ある演技において、その出演者やタレントの一言メッセージなど、そして支配人によるメッセージや次回公演・上演の予告などを配信することにより集客効果を高め、またリピート層の拡大に寄与する。
【実施例３】
【００１７】
つぎに、本発明にかかる携帯電話利用業務内容説明画像企画配信表示方法の請求項２に記載した発明の実施例を説明する。この発明は、商品の販売に関するものである。その１は図３に示すブロックダイアグラムのごとくに、動産であって、典型的なものは農産物とか水産物などの食品である。たとえば、販売する食品などの価格とか賞味期限などの一般的な事項ばかりでなく、食品の包装紙や店頭表示物では表示できないその野菜や果物とか魚介類の産地とか生産者等の具体的な信頼性や品質等を示す詳細な内容説明などをも考慮して、それぞれの商品の内容説明を携帯電話画像での表示用にそれぞれの商品ごとに企画する。つぎに、これらの携帯電話画像表示用の企画を携帯画像変換サーバ使用の携帯電話画像情報表示用コード（本実施例では２次元バーコード）にそれぞれ変換する。
【００１８】
そして、これら変換のそれぞれのバーコードをタトゥーシールに用いるような転写可能な転写インクでそれぞれシールに印刷する。こうして、これら印刷された上記のそれぞれのシールのコードをその後のそれぞれの食品の販売の場において、それぞれの食品やその対象物、例えばその食品の包装とか販売棚に転写する。それで、それら転写のそれぞれのコードをそれぞれの食品販売の場において、それぞれの携帯電話に読みとらせてそれぞれの食品の内容説明用画像をその携帯画像変換サーバを通じてその使用の携帯電話に表示させるものである。
【００１９】
これは、食品小売業ばかりでなく生産農家とか漁業者、さらには食品製造業とか農業協同組合とか酒造業や酒販組合などにも有効である。すなわち、生産者の声を発信することにより食の安全性を訴え、生産者表示の代用とし、また味などを確実に消費者に伝達して購買意欲を高めるからである。かようにして、携帯画像変換サーバを用い、生産者メッセージなどを動画で配信できる。それで、その場で生産者の声を聞くことができ、生産地や生産手法などを生の声で伝えることにより、消費者を安心させ購買の意欲が向上する。
【００２０】
さらにこれは、食品ばかりでなく、各種の製品販売にも応用でき、特に展示会で動画で配信することによりより強い製品への関心を引き付け、新製品の販売成約数向上への促進、スピードの向上をはかることができる。こうして、その場で新製品のＰＲ等を見て判断でき、成約までの時間を短縮することができる。特に、サイン会等での出版社や作家などにも有用で、小説や写真集のサイン会に来場した者のみ見ることのできるスペシャルページを配信することにより、動員数を稼ぎ販促効果を高める事に役立つ。また、伝統工芸品販売業での活用例を示すと、工房・伝統工芸品の販売業者や刀剣商などで、工芸品の歴史や工房からのメッセージなどを見せることにより、その伝統工芸品の素晴  らしさを伝え、購入者の購買意識を掻きたてることもできる。すなわち、携帯画像変換サーバを用い、伝統工芸品にまつわる歴史や工房からの生の声を動画で配信し、購入者に伝達して来客がその場で映像を見ることにより、工芸品の内容をより深く知るでき、それにより工芸品の名を高め、販促効果の向上を期待することができる。
【実施例４】
【００２１】
最後に、本発明にかかる携帯電話利用業務内容説明画像企画配信表示方法の請求項２に記載した発明の実施例を説明する。この発明は、図４に示すブロックダイアグラムのごとくに、建築物等の不動産に関するものである。しかして、これはマンションやホテルなどの建造物などの価格や建築年数などの一般的な事項ばかりでなく、耐震強度とか建築材料や内装その他の品質や日照とか眺望等の詳細な内容説明などをも考慮して、それぞれの建造物の内容説明を携帯電話画像での表示用にそれぞれの建造物ごとに企画する。つぎに、これらの携帯電話画像表示用の企画を携帯画像変換サーバ使用の携帯電話画像情報表示用コード（本実施例では２次元バーコード）にそれぞれ変換する。
【００２２】
そして、これら変換のそれぞれのバーコードをタトゥーシールに用いるような転写可能な転写インクでそれぞれシールに印刷する。こうして、これら印刷された上記のそれぞれのシールのコードをその後のそれぞれの商品の販売の場において、それぞれの商品やその対象物、例えばその建造物の包装とか販売棚に転写する。それで、それら転写のそれぞれのコードをそれぞれの建造物の販売の場において、それぞれの携帯電話に読みとらせてそれぞれの建造物の内容説明用画像をその携帯画像変換サーバを通じてその使用の携帯電話に表示させるものである。
【００２３】
かようにして、現地まで行かなければ見ることのできない建築物の部屋案内などを動画で手軽に見せることにより説得力を増し、安心度を高め、成約数の向上をはかることもできる。具体的には、携帯画像変換サーバを用い、部屋の内装や外観を動画で配信する。こうして、客が予め部屋の内容を知っておくことにより、その場で契約即決が可能となり、成約期間の短縮や成約数の向上を図ることが可能となる。
【産業上の利用可能性】
【００２４】
携帯電話を使ってのイベントなどのサービス業や不動産の仲介とか、食料品の品質表示や建築物の信頼正当の表示が可能な他分野への応用が生じる。
【図面の簡単な説明】
【００２５】
【図１】本発明にかかる携帯電話利用業務内容説明画像企画配信表示方法の第１の実施例のブロックダイアグラムを示したものである。
【図２】その第２の実施例のブロックダイアグラムである。
【図３】その第３の実施例のブロックダイアグラムを示したものである。
【図４】その第４の実施例のブロックダイアグラムである。
【図１】
2007334405.tif 000003
【図２】
2007334405.tif 000004
【図３】
2007334405.tif 000005
【図４】
2007334405.tif 000006